【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  複数のプリンタを有する印刷システムであって、
印刷データと、該印刷データの印刷制御に関する印刷指示の入力を受け付ける入力手段と、
前記入力手段で受け付けた前記印刷指示に基づいて指示情報を作成する作成手段と、
前記複数のプリンタのうちの１台を選択する選択手段と、
前記選択されたプリンタが前記指示情報で要求される処理を遂行できない場合に、前記選択されたプリンタの有する能力に基づいて前記指示情報による指示内容を部分的に変更する変更手段と、
前記選択されたプリンタに、前記印刷データ及び前記変更手段で変更された指示内容に基づく印刷を実行させる実行手段とを備えることを特徴とする印刷システム。
【請求項２】  前記変更手段は、前記指示情報によって指示された内容の一部の変更を指示する変更指示を生成し、
前記実行手段は、前記印刷データ、前記指示情報及び前記変更指示に従って、前記選択されたプリンタに印刷を実行させることを特徴とする請求項１に記載の印刷システム。
【請求項３】  前記変更手段は、前記指示情報を書き換えることにより当該指示情報による指示内容を変更することを特徴とする請求項１に記載の印刷システム。
【請求項４】  前記指示情報はデータ記述言語に従って記述されており、
前記変更手段は、前記指示情報を変更するにおいて変更前の記述と変更後の記述を当該指示情報に保持させることを特徴とする請求項３に記載の印刷システム。
【請求項５】  前記指示情報は、前記複数のプリンタの優先順位を含み、
前記選択手段は、前記優先順位に基づいてプリンタを選択することを特徴とする請求項１に記載の印刷システム。
【請求項６】  前記選択手段は、使用中のプリンタにトラブルが生じた場合に、当該使用中のプリンタの次の優先順位を有するプリンタを選択し、
前記変更手段は、前記選択されたプリンタによって残りの印刷処理を実行すべく前記指示情報による指示内容を変更することを特徴とする請求項５に記載の印刷システム。
【請求項７】  前記指示情報は、プリンタの能力不足に対応するための代替処理の指定を含み、
前記変更手段は、プリンタが前記指示情報で要求される処理を遂行できない場合に、前記代替処理の指定に基づいて前記指示情報による指示内容を部分的に変更することを特徴とする請求項１に記載の印刷システム。
【請求項８】  前記印刷データ及び前記指示情報を、当該印刷処理の終了後にも保持する保持手段と、
前記保持手段で保持された印刷データ及び指示情報に従って印刷を実行させる再実行手段とを更に備えることを特徴とする請求項１に記載の印刷システム。
【請求項９】  前記指示情報はデータ記述言語に従って記述されており、
前記変更手段は、指示情報を変更するにおいて、変更後の記述とともに、変更前の記述と記録状況を示す記述を当該指示情報に含ませて変更された指示情報を生成し、
前記印刷データと前記変更された指示情報を、当該印刷処理の終了後にも保持する保持手段と、
前記保持手段に保持された、前記変更された指示情報に基づいて当該指示情報を初期化する初期化手段と、
前記保持手段で保持された印刷データと前記初期化手段で得られた指示情報に従って印刷を実行させる再実行手段とを更に備えることを特徴とする請求項１に記載の印刷システム。
【請求項１０】  前記初期化手段は、
前記変更された指示情報に含まれる前記変更前の記述に基づいて、対応する印刷データの全体を再印刷するべく指示情報を初期化する第１手段と、
前記変更された指示情報に含まれる前記変更前の記述と前記記録状況の記述とに基づいて、未印刷の部分を印刷するべく該指示情報を初期化する第２手段とを有することを特徴とする請求項９に記載の印刷システム。
【請求項１１】  複数のプリンタに接続が可能な印刷管理装置であって、
印刷データと、該印刷データの印刷制御に関する指示情報を入力する入力手段と、
前記複数のプリンタのうちの１台を選択する選択手段と、
前記選択されたプリンタが前記指示情報で要求される処理を遂行できない場合に、前記選択されたプリンタの有する能力に基づいて前記指示情報による指示内容を部分的に変更する変更手段と、
前記選択されたプリンタに、前記印刷データ及び前記変更手段で変更された指示内容に基づく印刷を実行させる実行手段とを備えることを特徴とする印刷管理装置。
【請求項１２】  前記変更手段は、前記指示情報によって指示された内容の一部の変更を指示する変更指示を生成し、
前記実行手段は、前記印刷データ、前記指示情報及び前記変更指示に従って、前記選択されたプリンタに印刷を実行させることを特徴とする請求項１１に記載の印刷管理装置。
【請求項１３】  前記変更手段は、前記指示情報を書き換えることにより当該指示情報による指示内容を変更することを特徴とする請求項１１に記載の印刷管理装置。
【請求項１４】  前記指示情報はデータ記述言語に従って記述されており、
前記変更手段は、前記指示情報を変更するにおいて変更前の記述と変更後の記述を当該指示情報に保持させることを特徴とする請求項１３に記載の印刷管理装置。
【請求項１５】  前記指示情報は、前記複数のプリンタの優先順位を含み、
前記選択手段は、前記優先順位に基づいてプリンタを選択することを特徴とする請求項１１に記載の印刷管理装置。
【請求項１６】  前記選択手段は、使用中のプリンタにトラブルが生じた場合に、当該使用中のプリンタの次の優先順位を有するプリンタを選択し、
前記変更手段は、前記選択されたプリンタによって残りの印刷処理を実行すべく前記指示情報による指示内容を変更することを特徴とする請求項１５に記載の印刷管理装置。
【請求項１７】  前記指示情報は、プリンタの能力不足に対応するための代替処理の指定を含み、
前記変更手段は、プリンタが前記指示情報で要求される処理を遂行できない場合に、前記代替処理の指定に基づいて前記指示情報による指示内容を部分的に変更することを特徴とする請求項１１に記載の印刷管理装置。
【請求項１８】  前記印刷データ及び前記指示情報を、当該印刷処理の終了後にも保持する保持手段と、
前記保持手段で保持された印刷データ及び指示情報に従って印刷を実行させる再実行手段とを更に備えることを特徴とする請求項１１に記載の印刷管理装置。
【請求項１９】  前記指示情報はデータ記述言語に従って記述されており、
前記変更手段は、指示情報を変更するにおいて、変更後の記述とともに、変更前の記述と記録状況を示す記述を当該指示情報に含ませて変更された指示情報を生成し、
前記印刷データと前記変更された指示情報を、当該印刷処理の終了後にも保持する保持手段と、
前記保持手段に保持された、前記変更された指示情報に基づいて当該指示情報を初期化する初期化手段と、
前記保持手段で保持された印刷データと前記初期化手段で得られた指示情報に従って印刷を実行させる再実行手段とを更に備えることを特徴とする請求項１１に記載の印刷管理装置。
【請求項２０】  前記初期化手段は、
前記変更された指示情報に含まれる前記変更前の記述に基づいて、対応する印刷データの全体を再印刷するべく指示情報を初期化する第１手段と、
前記変更された指示情報に含まれる前記変更前の記述と前記記録状況の記述とに基づいて、未印刷の部分を印刷するべく該指示情報を初期化する第２手段とを有することを特徴とする請求項１９に記載の印刷管理装置。
【請求項２１】  複数のプリンタに接続が可能な印刷管理装置による印刷管理方法であって、
印刷データと、該印刷データの印刷制御に関する指示情報を入力する入力工程と、
前記複数のプリンタのうちの１台を選択する選択工程と、
前記選択されたプリンタが前記指示情報で要求される処理を遂行できない場合に、前記選択されたプリンタの有する能力に基づいて前記指示情報による指示内容を部分的に変更する変更工程と、
前記選択されたプリンタに、前記印刷データ及び前記変更工程で変更された指示内容に基づく印刷を実行させる実行工程とを備えることを特徴とする印刷管理方法。
【請求項２２】  前記変更工程では、前記指示情報によって指示された内容の一部の変更を指示する変更指示を生成し、
前記実行工程では、前記印刷データ、前記指示情報及び前記変更指示に従って、前記選択されたプリンタに印刷を実行させることを特徴とする請求項２１に記載の印刷管理方法。
【請求項２３】  前記変更工程では、前記指示情報を書き換えることにより当該指示情報による指示内容を変更することを特徴とする請求項２１に記載の印刷管理方法。
【請求項２４】  前記指示情報はデータ記述言語に従って記述されており、
前記変更工程では、前記指示情報を変更するにおいて変更前の記述と変更後の記述を当該指示情報に保持させることを特徴とする請求項２３に記載の印刷管理方法。
【請求項２５】  前記指示情報は、前記複数のプリンタの優先順位を含み、
前記選択工程は、前記優先順位に基づいてプリンタを選択することを特徴とする請求項２１に記載の印刷管理方法。
【請求項２６】  前記選択工程は、使用中のプリンタにトラブルが生じた場合に、当該使用中のプリンタの次の優先順位を有するプリンタを選択し、
前記変更工程は、前記選択されたプリンタによって残りの印刷処理を実行すべく前記指示情報による指示内容を変更することを特徴とする請求項２５に記載の印刷管理方法。
【請求項２７】  前記指示情報は、プリンタの能力不足に対応するための代替処理の指定を含み、
前記変更工程では、プリンタが前記指示情報で要求される処理を遂行できない場合に、前記代替処理の指定に基づいて前記指示情報による指示内容を部分的に変更することを特徴とする請求項２１に記載の印刷管理方法。
【請求項２８】  前記印刷データ及び前記指示情報を、当該印刷処理の終了後にも保持する保持工程と、
前記保持工程で保持された印刷データ及び指示情報に従って印刷を実行させる再実行工程とを更に備えることを特徴とする請求項２１に記載の印刷管理方法。
【請求項２９】  前記指示情報はデータ記述言語に従って記述されており、
前記変更工程では、指示情報を変更するにおいて、変更後の記述とともに、変更前の記述と記録状況を示す記述を当該指示情報に含ませて更新された指示情報を生成し、
前記印刷データと前記変更された指示情報を、当該印刷処理の終了後にも保持する保持工程と、
前記保持工程で保持された、前記変更された指示情報に基づいて当該指示情報を初期化する初期化工程と、
前記保持工程で保持された印刷データと前記初期化工程で得られた指示情報に従って印刷を実行させる再実行工程とを更に備えることを特徴とする請求項２１に記載の印刷管理方法。
【請求項３０】  前記初期化工程は、
前記変更された指示情報に含まれる前記変更前の記述に基づいて、対応する印刷データの全体を再印刷するべく指示情報を初期化する第１工程と、
前記変更された指示情報に含まれる前記変更前の記述と前記記録状況の記述とに基づいて、未印刷の部分を印刷するべく該指示情報を初期化する第２工程とを有することを特徴とする請求項２９に記載の印刷管理方法。
【請求項３１】  複数のプリンタを有する印刷システムの制御方法であって、
印刷データと、該印刷データの印刷制御に関する印刷指示の入力を受け付ける入力工程と、
前記入力工程で受け付けた前記印刷指示に基づいて指示情報を作成する作成工程と、
前記複数のプリンタのうちの１台を選択する選択工程と、
前記選択されたプリンタが前記指示情報で要求される処理を遂行できない場合に、前記選択されたプリンタの有する能力に基づいて前記指示情報による指示内容を部分的に変更する変更工程と、
前記選択されたプリンタに、前記印刷データ及び前記変更工程で変更された指示内容に基づく印刷を実行させる実行工程とを備えることを特徴とする印刷システムの制御方法。
【請求項３２】  請求項２１乃至３０のいずれか１項に記載の印刷管理方法をコンピュータに実行させるための制御プログラム。
【請求項３３】  請求項２１乃至３０のいずれか１項に記載の印刷管理方法をコンピュータに実行させるための制御プログラムを格納した記憶媒体。
【手続補正２】
【補正対象書類名】明細書
【補正対象項目名】０００８
【補正方法】変更
【補正の内容】
【０００８】
【課題を解決するための手段】
上記の目的を達成するための本発明による印刷システムは以下の構成を備える。すなわち、
複数のプリンタを有する印刷システムであって、
印刷データと、該印刷データの印刷制御に関する印刷指示の入力を受け付ける入力手段と、
前記入力手段で受け付けた前記印刷指示に基づいて指示情報を作成する作成手段と、
前記複数のプリンタのうちの１台を選択する選択手段と、
前記選択されたプリンタが前記指示情報で要求される処理を遂行できない場合に、前記選択されたプリンタの有する能力に基づいて前記指示情報による指示内容を部分的に変更する変更手段と、
前記選択されたプリンタに、前記印刷データ及び前記変更手段で変更された指示内容に基づく印刷を実行させる実行手段とを備える。
【手続補正３】
【補正対象書類名】明細書
【補正対象項目名】０００９
【補正方法】変更
【補正の内容】
【０００９】
また、上記の目的を達成するための本発明による印刷管理装置は、
複数のプリンタに接続が可能な印刷管理装置であって、
印刷データと、該印刷データの印刷制御に関する指示情報を入力する入力手段と、
前記複数のプリンタのうちの１台を選択する選択手段と、
前記選択されたプリンタが前記指示情報で要求される処理を遂行できない場合に、前記選択されたプリンタの有する能力に基づいて前記指示情報による指示内容を部分的に変更する変更手段と、
前記選択されたプリンタに、前記印刷データ及び前記変更手段で変更された指示内容に基づく印刷を実行させる実行手段とを備える。
【手続補正４】
【補正対象書類名】明細書
【補正対象項目名】００１０
【補正方法】変更
【補正の内容】
【００１０】
更に、上記の目的を達成するための本発明による印刷管理方法は、
複数のプリンタに接続が可能な印刷管理装置による印刷管理方法であって、
印刷データと、該印刷データの印刷制御に関する指示情報を入力する入力工程と、
前記複数のプリンタのうちの１台を選択する選択工程と、
前記選択されたプリンタが前記指示情報で要求される処理を遂行できない場合に、前記選択されたプリンタの有する能力に基づいて前記指示情報による指示内容を部分的に変更する変更工程と、
前記選択されたプリンタに、前記印刷データ及び前記変更工程で変更された指示内容に基づく印刷を実行させる実行工程とを備える。
【手続補正５】
【補正対象書類名】明細書
【補正対象項目名】００１１
【補正方法】変更
【補正の内容】
【００１１】
また、上記の目的を達成するための本発明の印刷システムの制御方法は、
複数のプリンタを有する印刷システムの制御方法であって、
印刷データと、該印刷データの印刷制御に関する印刷指示の入力を受け付ける入力工程と、
前記入力工程で受け付けた前記印刷指示に基づいて指示情報を作成する作成工程と、
前記複数のプリンタのうちの１台を選択する選択工程と、
前記選択されたプリンタが前記指示情報で要求される処理を遂行できない場合に、前記選択されたプリンタの有する能力に基づいて前記指示情報による指示内容を部分的に変更する変更工程と、
前記選択されたプリンタに、前記印刷データ及び前記変更工程で変更された指示内容に基づく印刷を実行させる実行工程とを備える。